(57)【要約】【課題】圧力容器の定置安定性と持ち運び性の両立を図る。【解決手段】圧力容器１は、圧力ガスを貯蔵する可搬式の容器本体２と、容器本体２に一体に固設されるアウタケース５と、アウタケース５を介して容器本体２を着脱自在に載置する設置ベース３と、を備える。圧力容器１を持ち運ぶ際には、設置ベース３から外した容器本体２のみを持ち運ぶため、持ち運び重量が軽くなり、労力負担が軽減される。持ち運ぶ必要のない設置ベースは形状設計や重量設計の制約をさほど受けず、設置ベースを適宜な形状、重量に設定することで容器本体を安定して定置できる。容器本体２が設置ベース３に載置されたときには、両者を一体に係合させる係合手段（突起部７、凹部８）を備えること望ましい。【選択図】図１
2011208720.tif 000002
【特許請求の範囲】
【請求項１】
圧力ガスを貯蔵する可搬式の容器本体と、
この容器本体に一体に固設されるアウタケースと、
このアウタケースを介して前記容器本体を着脱自在に載置する設置ベースと、
を備えることを特徴とする圧力容器。
【請求項２】
前記容器本体が前記設置ベースに載置されたときに両者を一体に係合させる係合手段を備えることを特徴とする請求項１に記載の圧力容器。
【請求項３】
前記設置ベースはウェイト用の流体が注入出される構成としたことを特徴とする請求項１または請求項２に記載の圧力容器。
【発明の詳細な説明】
【技術分野】
【０００１】
本発明は、可搬式の圧力容器に関する。
【背景技術】
【０００２】
従来、可搬式のＬＰＧ（Liquefied Petroleum Gas）の貯蔵容器を定置する態様は、専らアウタケースの底部を地面等に置くことによりなされている。例えば、特許文献１に記載の貯蔵容器の場合、アウタケースの底部である下方支持リム５０を地面に直置きすることとなる。
【先行技術文献】
【特許文献】
【０００３】
【特許文献１】欧州特許  ＥＰ１９０６０７５Ａ２
【発明の概要】
【発明が解決しようとする課題】
【０００４】
特許文献１の技術のように、アウタケースを直置きする方法では、ＬＰＧの貯蔵量が減って貯蔵容器が軽量になったとき、例えば風などの外力を受けて転倒しやすくなる。貯蔵容器の姿勢を安定させるためにアウタケースの接地面積を大きくする方法が考えられるが、容器が大型化するとともに重量が増大するため、容器を持ち運ぶ際の労力負担につながる。
【０００５】
本発明はこのような課題を解決するために創作されたものであり、圧力容器の定置安定性と持ち運び性の両立を図ることを目的としている。
【課題を解決するための手段】
【０００６】
前記課題を解決するため、本発明の圧力容器は、圧力ガスを貯蔵する可搬式の容器本体と、この容器本体に一体に固設されるアウタケースと、このアウタケースを介して前記容器本体を着脱自在に載置する設置ベースと、を備えることを特徴とする。
【０００７】
当該構成によれば、圧力容器を持ち運ぶ際には、設置ベースから外した容器本体およびアウタケースを持ち運べばよいので、転倒防止用のウェイトを容器本体と一体に構成した圧力容器に比して持ち運び重量が軽くなり、労力負担が軽減される。持ち運ぶ必要のない設置ベースは形状設計や重量設計の制約をさほど受けず、設置ベースを適宜な形状、重量に設定することで容器本体を安定して定置できる。
【０００８】
また、本発明の圧力容器は、前記容器本体が前記設置ベースに載置されたときに両者を一体に係合させる係合手段を備えることを特徴とする。
【０００９】
当該構成によれば、容器本体と設置ベースとを一体に係合させる係合手段を備えたことにより、設置ベースに対する容器本体の不慮の脱落を防止できる。
【００１０】
また、本発明の圧力容器は、前記設置ベースはウェイト用の流体が注入出される構成としたことを特徴とする。
【００１１】
当該構成によれば、設置ベースとして機能させるときのみ流体を注入すればよく、不使用時には流体を排出することで設置ベースの無駄な重量を低減できる。
【発明の効果】
【００１２】
本発明によれば、圧力容器を持ち運ぶ際には、設置ベースから外した容器本体およびアウタケースを持ち運べばよいので、転倒防止用のウェイトを容器本体と一体に構成した圧力容器に比して持ち運び重量が軽くなり、労力負担が軽減される。持ち運ぶ必要のない設置ベースは形状設計や重量設計の制約をさほど受けず、設置ベースを適宜な形状、重量に設定することで容器本体を安定して定置できる。
【図面の簡単な説明】
【００１３】
【図１】本発明に係る圧力容器の説明図であり、（ａ）、（ｂ）はそれぞれ外観斜視図、側断面図である。
【図２】係合手段の変形例を有した圧力容器の説明図であり、（ａ）、（ｂ）はそれぞれ外観斜視図、側断面図である。
【図３】係合手段の他の変形例を有した圧力容器の側断面図である。
【発明を実施するための形態】
【００１４】
図１において、本発明に係る圧力容器１は、例えばＬＰＧを貯蔵する容器であって、ＬＰＧを貯蔵する可搬式の容器本体２と、容器本体２に一体に固設されるアウタケース５と、アウタケース５を介して容器本体２を着脱自在に載置する設置ベース３と、を備える。
【００１５】
容器本体２は、上端にＬＰＧの注入出用の口金４が取り付けられた縦置き円筒状の部材であって、ＦＲＰ等により成形されている。容器本体２の外面には、合成樹脂材料等からなるアウタケース５が容器本体２と一体となるように固設されている。アウタケース５は、ほぼ容器本体２の全体を覆い、容器本体２を保護する。なお、アウタケース５は容器本体２の周面を完全に覆う必要はなく、例えば網目状に形成してもよいし、図１（ａ）に示すように比較的大きめの開口部が形成されていてもよい。また、アウタケース５は分割構成されたものでもよいし、一体成形で構成されたものでもよい。
【００１６】
容器本体２の底部はアウタケース５により覆われているため、容器本体２を設置ベース３に載置した際には、アウタケース５の底部が設置ベース３により載置支持されることとなる。設置ベース３は、縦置き円筒状を呈する容器本体２の転倒防止機能を有する部材であり、容器本体２が載置して固定された際の低重心のウェイトとして作用する。
【００１７】
重量物である設置ベース３としては例えば金属部材から構成してもよいが、本実施形態では、中空の合成樹脂部材から構成し、内部にウェイト用の流体を注入出させる構成としている。ウェイト用の流体としては水、砂などである。符号９はウェイト用の流体の注入出口、符号１０はキャップを示す。
【００１８】
アウタケース５の底部は小径部５Ａとして形成され、設置ベース３の上面にはこの小径部５Ａが嵌り込む嵌合孔３Ａが形成されている。アウタケースの小径部５Ａが設置ベース３の嵌合孔３Ａに嵌り込み、アウタケース５のフランジ面５Ｂが設置ベース３の上面３Ｂに接面することにより容器本体２が設置ベース３上に安定して載置される。
【００１９】
設置ベース３に対する容器本体２の不慮の脱落を防止するため、圧力容器１には、容器本体２が設置ベース３に載置されたときに両者を一体に係合させる係合手段を設けることが望ましい。該係合手段として図１では、小径部５Ａの周面に球面状の突起部７を設けるとともに、嵌合孔３Ａの周面に突起部７が係合する凹部８を設けている。設置ベース３は中空の合成樹脂製の部材であるため、小径部５Ａを嵌合孔３Ａに嵌め込んだ際には、凹部８周りの肉厚部が弾性変形することにより突起部７を凹部８に係合させることができる。突起部７と凹部８との係合により、容器本体２は設置ベース３に対して回転不能となり、設置ベース３からの不慮の抜けが防止される。なお、突起部７を設置ベース３側に設け、凹部８をアウタケース５側に設けてもよい。
【００２０】
図２は、前記係合手段の変形例として、アウタケース５の底部に縦断面Ｌ字形の爪部１１を設け、設置ベース３においては爪部１１を挿通させる切欠き部１２および爪部１１を係合させる係合片部１５を設けた構造を示している。当該構造によれば、爪部１１を切欠き部１２に挿通させたうえで容器本体２を回転させることにより、爪部１１が係合片部１５に係合することとなり、設置ベース３からの容器本体２の抜けが防止される。なお、爪部１１を設置ベース３側に設け、切り欠き部１２および係合片部１５をアウタケース５側に設けてもよい。
【００２１】
図３は、前記係合手段の他の変形例として、小径部５Ａの周面に雄ねじ１３を設けるとともに、嵌合孔３Ａの周面に、雄ねじ１３に螺合する雌ねじ１４を設けた構造を示している。当該構造によっても、設置ベース３からの容器本体２の抜けが防止される。なお、雄ねじ１３を設置ベース３側に設け、雌ねじ１４をアウタケース５側に設けてもよい。
【００２２】
以上のように、圧力ガスを貯蔵する可搬式の容器本体２と、容器本体２に一体に固設されるアウタケース５と、アウタケース５を介して容器本体２を着脱自在に載置する設置ベース３と、を備える圧力容器１によれば、例えばＬＰＧを充填するべくＬＰＧの供給所まで圧力容器１を持ち運ぶ際には、容器本体２およびアウタケース５を設置ベース３から外して持ち運べばよいので、転倒防止用のウェイトを容器本体と一体に構成した圧力容器に比して持ち運び重量が軽くなり、労力負担が軽減される。持ち運ぶ必要のない設置ベース３は形状設計や重量設計の制約をさほど受けず、設置ベース３を適宜な形状、重量に設定することで容器本体２を安定して定置できる。
【００２３】
また、容器本体２が設置ベース３に載置されたときに両者を一体に係合させる係合手段を備える構成とすれば、設置ベース３に対する容器本体２の不慮の脱落を防止できる。
【００２４】
さらに、設置ベース３としてウェイト用の流体を注入出させる構成とすれば、設置ベース３として機能させるときのみ流体を注入すればよく、不使用時には流体を排出することで設置ベース３の無駄な重量を低減できる。空にした設置ベース３の持ち運びが容易となるため、野外での使用に好適となる。
【００２５】
以上、本発明の好適な実施形態について説明したが、本発明は図面に記載したものに限られず、その趣旨を逸脱しない範囲で種々の設計変更が可能である。
例えば、説明した実施形態では設置ベース３を中空の樹脂成形品として流体を注入出する構造としたが、鋳物等の金属成形品や石材成形品等から構成してもよい。
さらに、容器本体２の形状についても円筒形状に限定されることはなく、例えば角型形状であってもよい。
【符号の説明】
【００２６】
１      圧力容器
２      容器本体
３      設置ベース
４      口金
５      アウタケース
【図１】
2011208720.tif 000003
【図２】
2011208720.tif 000004
【図３】
2011208720.tif 000005